(57)【要約】【課題】作業員がベースに立って修理作業を行うことを可能にすることにより、高所での修理作業の便利性及び安全性を増加することが可能な風力発電機械を提供する。【解決手段】風力発電機械のベースに固定されている固定立設柱１０と、固定立設柱に枢着されている羽根モジュール２０と、から構成され、固定立設柱は、ベースロッド１１と上ロッド１５を直列接続して構成され、ベースロッドと上ロッドとの対向する端部には、突合せフランジ１２、１６がそれぞれ設けられており、複数の締結具１８により、二つの突合せフランジを選択的にロックすることが可能であり、ベースロッドと上ロッドとの突合せフランジに自在ユニット３０が設けられており、自在ユニットにより、ベースロッドに上ロッドを枢着することが可能であり、自在ユニットは、ベースロッドと上ロッドの突合せ箇所から遠ざかった端には、ロック台３５、３６がそれぞれ設けられている。【選択図】図１
0003188584.tif 000002
【実用新案登録請求の範囲】
【請求項１】
風力発電機械のベースに固定されている固定立設柱と、前記固定立設柱に枢着されている羽根モジュールと、から構成され、
前記固定立設柱は、ベースロッドと上ロッドを直列接続して構成され、前記ベースロッドと前記上ロッドとの対向する端部には、突合せフランジがそれぞれ設けられており、複数の締結具により、前記二つの突合せフランジを選択的にロックすることが可能であり、
前記ベースロッドと前記上ロッドとの前記突合せフランジに自在ユニットが設けられており、前記自在ユニットにより、前記ベースロッドに前記上ロッドを枢着することが可能であり、前記自在ユニットは、前記ベースロッドと前記上ロッドの突合せ箇所から遠ざかった端には、ロック台がそれぞれ設けられており、
これにより、前記固定立設柱の前記ベースロッドと前記上ロッドとの前記ロック台の間には、制動ロッドを有するシリンダーを選択的に設けることが可能であり、このように、前記シリンダーの前記制動ロッドの伸縮により、前記固定立設柱の前記上ロッドを、鉛直に立設し、又は旋回して水平にすることが可能であり、前記風力発電機械のメンテナンスが容易となることを特徴とする風力発電機械。
【請求項２】
前記自在ユニットは、前記ベースロッドと前記上ロッドの突合せ箇所では、枢着ラグがそれぞれ設けられており、前記二つの枢着ラグには枢着軸が挿入されており、前記枢着軸により、前記上ロッドは前記ベースロッドに対して旋回することが可能であることを特徴とする、請求項１に記載の風力発電機械。
【考案の詳細な説明】
【技術分野】
【０００１】
本考案は、風力発電機械の修理技術に関し、特に、高所での修理作業の便利性及び安全性を増加することが可能な風力発電機械に関するものである
【背景技術】
【０００２】
従来の発電方式は、水力発電、火力発電及び原子力発電に分けられている。水力発電は地形環境による制限があり、火力発電は、大気を汚染し、地球を温暖化する問題があり、原子力発電は、輻射を有する廃棄物をよく処理しないと、地球環境を汚染する問題がある。世界各地での電力の使用量が増加しているため、節電の呼掛けを続ける他、例えば太陽光発電及び風力発電などが積極的に開発されている。太陽光発電は、地区及び環境による制限がないが、発電の所在地の緯度及び日照時間による制限がある。そして太陽パネルの電力変換効率は極めて低いため、風力発電はエネルギー問題を有効に解決可能な選択の一つとなる。このため、風力発電機械は各種の場所に設けられており、更に、都会のビルの屋上に中小型の風力発電機械を設けることがある。
【０００３】
風力発電は、風力によって風力発電機械の羽根モジュールを回転することにより、風力発電機械の内部に設けられている発電モジュールを駆動して発電して電気エネルギーを蓄蔵する。風力発電機械の羽根モジュールは、風力を受けて高速に回転して風力発電機械を発電するため、長期間に使用されると、羽根、回転具及び伝動具などの部品が損壊することがあり、このため、これらの部品を定期的に、又は不定期的に清潔して修理することが必要である。しかし、風力エネルギーを有効に取るため、風力発電機械の羽根モジュールを最高の箇所（例えばビルの屋上）に設けることが一般的である。風力発電機械は、体積が極めて大きく、構造が複雑であるため、修理時に、作業員は高所で修理作業を行うことが必要である。しかし、風力発電機械の羽根モジュールの内部には、作業員の立つ箇所が無く、且つ回転具が多いため、修理作業が容易ではなく、危険性も高い問題があった。
【０００４】
従来、高所作業はクレーンを利用することが一般的である。クレーンは、その先端に籠を付け、又はその先端に巻き付けられているワイヤに籠を付けることにより、作業員が籠に入ると、作業員を低所から高所に移動することが可能であるが、籠が移動されているときには、風力又はクレーンの動力により、籠が揺れやすい。このため、上記の二つの方法は極めて危険である。また、大型の移動式クレーンは、重量が数百トンもあり、走行可能な道路が少なくとも５〜６メートルを必要とするため、道路の整備にお金がかなり掛かる。
【先行技術文献】
【特許文献】
【０００５】
【特許文献１】なし
【考案の概要】
【考案が解決しようとする課題】
【０００６】
本考案の主な目的は、作業員がベースに立って修理作業を行うことを可能にすることにより、高所での修理作業の便利性及び安全性を増加することが可能な風力発電機械を提供することにある。
【課題を解決するための手段】
【０００７】
本考案の風力発電機械によると、風力発電機械のベースに固定されている固定立設柱と、固定立設柱に枢着されている羽根モジュールと、から構成され、
固定立設柱は、ベースロッドと上ロッドを直列接続して構成され、ベースロッドと上ロッドとの対向する端部には、突合せフランジがそれぞれ設けられており、複数の締結具により、二つの突合せフランジを選択的にロックすることが可能であり、
ベースロッドと上ロッドとの突合せフランジに自在ユニットが設けられており、自在ユニットにより、ベースロッドに上ロッドを枢着することが可能であり、自在ユニットは、ベースロッドと上ロッドの突合せ箇所から遠ざかった端には、ロック台がそれぞれ設けられており、
これにより、固定立設柱のベースロッドと上ロッドとのロック台の間には、制動ロッドを有するシリンダーを選択的に設けることが可能であり、このように、シリンダーの制動ロッドの伸縮により、固定立設柱の上ロッドを、鉛直に立設し、又は旋回して水平にすることが可能であり、風力発電機械のメンテナンスが容易となることを特徴とする。
【０００８】
本考案の風力発電機械によると、自在ユニットは、ベースロッドと上ロッドの突合せ箇所では、枢着ラグがそれぞれ設けられており、二つの枢着ラグには枢着軸が挿入されており、枢着軸により、上ロッドはベースロッドに対して旋回することが可能であることを特徴とする。
【考案の効果】
【０００９】
本考案の風力発電機械によれば、次のような効果がある。
（１）作業員がベースに立って修理作業を行うことを可能にすることにより、高所での修理作業の便利性及び安全性を増加することが可能である。
【００１０】
（２）作業員は、一セットの油圧シリンダーを持つだけで、複数組の風力発電機械の清潔や修理を行うことが可能であり、固定立設柱の構造を変更することも必要ない。
【００１１】
（３）ビルの屋上に設けられている風力発電機械を修理する場合に、作業員は油圧源を持つだけで、風力発電機械を修理することが可能であるため、高所での修理作業の便利性及び安全性を増加することが可能である。
【図面の簡単な説明】
【００１２】
【図１】本考案の一実施例の構造を示す側面図であって、主な部品とその相対関係を示す。
【図２】本考案の一実施例の使用状態を示す側面図である。
【考案を実施するための形態】
【００１３】
以下に、図面を参照しながら、本考案を実施するための最良の形態について詳述する。
【００１４】
図１を参照する。図１は本考案の一実施例の構造を示す側面図であって、主な部品とその相対関係を示す。本考案の一実施例は、風力発電機械のベースに固定されている固定立設柱１０と、固定立設柱１０に枢着されている羽根モジュール２０と、から構成される。羽根モジュール２０が風力を受けると高速に回転されて、風力エネルギーが電気エネルギーに変換される。羽根モジュール２０は、その構造及び動作原理が従来のものと同じであるため、説明を省略した。
【００１５】
図１及び図２を参照する。図２は本考案の一実施例の使用状態を示す側面図である。固定立設柱１０は、ベースロッド１１と上ロッド１５を直列接続して構成される。ベースロッド１１と上ロッド１５との対向する端部には、突合せフランジ１２、１６がそれぞれ設けられている。複数の締結具１８により、ベースロッド１１と上ロッド１５を締結して固定立設柱１０を構成することが可能である。ベースロッド１１の他端は、風力発電機械のベースに締結されている。上ロッド１５の上端には、羽根モジュール２０が締結されている。
【００１６】
固定立設柱１０のベースロッド１１と上ロッド１５との突合せフランジ１２、１６の一側に自在ユニット３０が設けられている。自在ユニット３０は、ベースロッド１１と上ロッド１５の突合せ箇所では、枢着ラグ３１、３２がそれぞれ設けられている。枢着軸３３により、ベースロッド１１に上ロッド１５を枢着することが可能である。自在ユニット３０は、ベースロッド１１と上ロッド１５の突合せ箇所から遠ざかった端には、ロック台３５、３６がそれぞれ設けられている。ベースロッド１１と上ロッド１５とのロック台３５、３６の間には、制動ロッド４５を有するシリンダー４０を選択的に設けることが可能である。このように、シリンダー４０の制動ロッド４５の伸縮により、固定立設柱１０の上ロッド１５を、鉛直に立設し、又は旋回して水平にすることが可能である。このように、風力発電機械のメンテナンスは容易となる。
【００１７】
次に、図１及び図２を参照しながら本考案の使用方法を説明する。本考案の風力発電機械の羽根モジュール２０を清潔し、又は修理したい場合には、固定立設柱１０のベースロッド１１のロック台３５にシリンダー４０の一端を固定して、上ロッド１５のロック台３６にシリンダー４０から延びる制動ロッド４５の自由端を固定し、この後、上ロッド１５とベースロッド１１の間の突合せフランジ１２、１６に配されている各締結具１８を緩めて、シリンダー４０に配されている制動ロッド４５を後退させる。このように、自在ユニット３０の枢着ラグ３１、３２の枢着軸３３を中心として、羽根モジュール２０を水平にするように固定立設柱１０の上ロッド１５を旋回することが可能である。このとき、作業員は、ベースに立って風力発電機械を清潔し、又は修理することが可能である。このため、高所での修理作業の便利性及び安全性を増加することが可能である。
【００１８】
修理作業を終わった後、シリンダー４０の制動ロッド４５を前進するように操作することにより、固定立設柱１０の上ロッド１５が旋回されてベースロッド１１に突合せて、各締結具１８により、上ロッド１５とベースロッド１１の間にある突合せフランジ１２、１６を締結すると、上ロッド１５に設けられている羽根モジュール２０は、直立姿勢に回復されて、風力を受けて回転することが可能である。
【００１９】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２０】
本考案は、風力発電機械に適用することができる。
【符号の説明】
【００２１】
１０  固定立設柱
１１  ベースロッド
１２  突合せフランジ
１５  上ロッド
１６  突合せフランジ
１８  締結具
２０  羽根モジュール
３０  自在ユニット
３１  枢着ラグ
３２  枢着ラグ
３３  枢着軸
３５  ロック台
３６  ロック台
４０  シリンダー
４５  制動ロッド
【図１】
0003188584.tif 000003
【図２】
0003188584.tif 000004